(57)【要約】【課題】現場復旧方式を採用したナースコールシステムにおいて、呼び出しが行われた現場において看護師が患者の用件を容易に確認できるようにする。【解決手段】用件伝達型子機７が備える複数の用件ボタン７ａのうち何れか一の用件ボタン７ａの押下に応じて、押下された用件ボタン７ａを点灯させることにより、当該用件ボタン７ａに対応する用件の内容を識別可能に表示させた表示状態にした後、復旧ボタン７ｄの押下に応じて表示状態を解除することにより、押下された用件ボタン７ａの表示状態が用件伝達型子機７において復旧ボタン７ｄの押下が行われるまで維持されるようにし、用件ボタン７ａの押下によって呼び出しが行われた病室において、看護師が復旧ボタン７ｄを押下する前に用件伝達型子機７の表示状態を確認することにより、患者の用件を確認することができるようにする。【選択図】図１
2020178299.tif 000002
【特許請求の範囲】
【請求項１】
ナースコール子機と、上記ナースコール子機からの呼び出しを受けて報知動作を行うナースコール親機とを備えたナースコールシステムであって、
上記ナースコール子機は、
複数の用件ボタンと、
上記用件ボタンの押下に応じて、押下された用件ボタンに対応する用件の内容を識別可能に表示させた表示状態にするとともに、上記ナースコール子機が設置される部屋内で行われる所定の復旧操作に応じて上記表示状態を解除するように制御する表示制御部と、
上記用件ボタンの押下に応じて呼出信号を送信する呼出信号送信部とを備え、
上記ナースコール親機は、
上記呼出信号の受信に応じて所定の報知動作を行い、所定の応答操作に応じて上記報知動作を停止する報知処理部を備えた
ことを特徴とするナースコールシステム。
【請求項２】
上記ナースコール子機は、上記ナースコール親機において上記応答操作が行われたことを知らせる応答通知信号を受信する応答通知受信部を更に備え、
上記表示制御部は、一の用件ボタンの押下に対応する上記応答通知信号を上記応答通知受信部が受信する前に他の用件ボタンの押下が行われた場合、上記一の用件ボタンに対応する用件の内容を識別可能に表示させた表示状態を解除するとともに、上記他の用件ボタンに対応する用件の内容を識別可能に表示させた表示状態とし、
上記呼出信号送信部は、上記一の用件ボタンの押下に対応する上記応答通知信号を上記応答通知受信部が受信する前に上記他の用件ボタンの押下が行われた場合、上記他の用件ボタンの押下に応じて呼出信号を再送信することを特徴とする請求項１に記載のナースコールシステム。
【請求項３】
上記ナースコール子機は、上記ナースコール親機において上記応答操作が行われたことを知らせる応答通知信号を受信する応答通知受信部を更に備え、
上記表示制御部は、一の用件ボタンの押下に対応する上記応答通知信号を上記応答通知受信部が受信した後、かつ、上記所定の復旧操作が行われる前に他の用件ボタンの押下が行われた場合、上記一の用件ボタンに対応する用件の内容を識別可能に表示させた表示状態を維持したまま、上記他の用件ボタンに対応する用件の内容を識別可能に表示させた表示状態とし、
上記呼出信号送信部は、上記一の用件ボタンの押下に対応する上記応答通知信号を上記応答通知受信部が受信した後、かつ、上記所定の復旧操作が行われる前に他の用件ボタンの押下が行われた場合、上記他の用件ボタンの押下に応じて呼出信号を再送信することを特徴とする請求項１に記載のナースコールシステム。
【請求項４】
上記ナースコール子機は、上記ナースコール親機において上記応答操作が行われたことを知らせる応答通知信号を受信する応答通知受信部を更に備え、
上記表示制御部は、
一の用件ボタンの押下に対応する上記応答通知信号を上記応答通知受信部が受信する前に他の用件ボタンの押下が行われた場合、上記一の用件ボタンに対応する用件の内容を識別可能に表示させた表示状態を解除するとともに、上記他の用件ボタンに対応する用件の内容を識別可能に表示させた表示状態とし、
上記一の用件ボタンの押下に対応する上記応答通知信号を上記応答通知受信部が受信した後、かつ、上記所定の復旧操作が行われる前に上記他の用件ボタンの押下が行われた場合、上記一の用件ボタンに対応する用件の内容を識別可能に表示させた表示状態を維持したまま、上記他の用件ボタンに対応する用件の内容を識別可能に表示させた表示状態とし、
上記呼出信号送信部は、上記一の用件ボタンが押下された後、上記所定の復旧操作が行われる前に上記他の用件ボタンが押下された場合、上記他の用件ボタンの押下に応じて呼出信号を再送信することを特徴とする請求項１に記載のナースコールシステム。
【請求項５】
上記ナースコール子機と上記ナースコール親機との間に設置される中継器を更に備え、
上記ナースコール子機の上記呼出信号送信部は、上記用件ボタンの押下に応じて、押下された用件ボタンを識別可能なボタン識別情報を含む呼出信号を上記中継器に送信し、
上記中継器は、
上記呼出信号送信部により送信された呼出信号を受信し、特定の一の呼出種別の呼出信号として上記ナースコール親機に中継する呼出信号中継部と、
上記ナースコール親機との間に通話路が形成された後、上記ナースコール子機から受信した呼出信号に含まれる上記ボタン識別情報に応じた合成音声を、上記通話路を介して上記ナースコール親機に送信する合成音声送信部とを備え、
上記ナースコール親機は、
上記呼出信号中継部により中継された呼出信号の受信に応じて上記報知処理部により行われる上記報知動作に対する応答操作を検出したときに、通話路を形成する通話路形成部と、
上記通話路形成部により形成された通話路を介して上記中継器から送られてくる上記合成音声を受信する合成音声受信部と、
上記合成音声受信部により受信された合成音声を出力する合成音声出力部とを更に備えた
ことを特徴とする請求項１〜４の何れか１項に記載のナースコールシステム。
【請求項６】
複数の用件ボタンと、
上記用件ボタンの押下に応じて、押下された用件ボタンに対応する用件の内容を識別可能に表示させた表示状態にするとともに、本装置が設置される部屋内で行われる所定の復旧操作に応じて上記表示状態を解除するように制御する表示制御部と、
上記用件ボタンの押下に応じて呼出信号を送信する呼出信号送信部とを備えた
ことを特徴とするナースコール装置。
【発明の詳細な説明】
【技術分野】
【０００１】
本発明は、ナースコールシステムおよびナースコール装置に関し、特に、現場復旧方式のナースコールシステムおよびこれに用いるナースコール装置に関するものである。
【背景技術】
【０００２】
一般に、病院や介護施設などに設置されるナースコールシステムは、患者や被介護者（以下、単に「患者」と言う）のベッドサイドなどに設置するナースコール子機と、ナースステーションなどに設置するナースコール親機と、病室や介護室等の各部屋の入口付近に設置する廊下灯とを備えて構成されている。また、ナースコール親機として、医師や看護師、介護師（以下、単に「看護師」と言う）が携行する携帯型のナースコール親機を備えたナースコールシステムも提供されている。
【０００３】
このように構成されたナースコールシステムでは、患者がナースコール子機の呼出ボタンを操作すると、ナースコール親機にて所定の報知動作が行われ、これによって看護師を呼び出すことができる。これに応じて看護師がナースコール親機にてオフフック等の応答操作を行うと、ナースコール親機による報知動作が停止し、ナースコール子機とナースコール親機との間に通話路が形成されて、患者と看護師とが通話を行うことができる状態となる。
【０００４】
廊下灯は、ナースコール親機と連動しており、患者がナースコール子機の呼出ボタンを操作すると、廊下灯に設けられたＬＥＤなどが点灯し、その廊下灯が設置されている病室で呼び出しが行われていることが報知される。これにより、廊下を歩いている看護師は、呼び出しを行った患者がいる病室を特定することができる。また、看護師がナースコール親機にて応答操作を行うと、廊下灯のＬＥＤが消灯する。このように、看護師がナースコール親機にて応答操作をしたときに自動的に廊下灯が消灯して、呼び出しに対する対応が完了した状態（いわゆる復旧状態）となるようにした復旧方式は、「通常復旧方式」と呼ばれている。
【０００５】
ところが、このようなナースコールシステムでは、看護師がナースコール親機で応答操作をするだけで復旧状態となるため、他の呼び出しや他の業務に追われている看護師が患者のいる病室に行くことを忘れるケースが生じてしまうことがある。このような問題を解決するために、ナースコール親機にて応答操作が行われた場合に、報知動作は停止するものの、廊下灯のＬＥＤを点灯させたままとし、看護師が患者のいる病室に行って所定の復旧操作を行った場合に廊下灯のＬＥＤを消灯するようにしたナースコールシステムが提供されている（例えば、特許文献１参照）。このような復旧方式は「現場復旧方式」と呼ばれている。
【先行技術文献】
【特許文献】
【０００６】
【特許文献１】特開２０１６−２１９９号公報
【発明の概要】
【発明が解決しようとする課題】
【０００７】
現場復旧方式を採用したナースコールシステムであれば、看護師が患者のいる病室に行って所定の操作をしない限り復旧状態にならないため、看護師に強い注意喚起をすることができ、看護師が患者のいる病室に行くことを忘れてしまう問題を抑制することができる。
【０００８】
しかしながら、看護師が応答操作を行ってからすぐに病室に向かうことができるとは限らないため、応答操作時に通話によって確認した患者の用件を失念してしまうことがある。この場合は、病室において看護師が患者に用件の内容を再び確認する必要があり、看護作業の効率が落ちるという問題があった。また、患者に対して通話時と同じ説明を要求することになるため、患者に対して不快感や精神的ストレスを与えてしまうという問題もあった。
【０００９】
また、現場復旧方式の場合、廊下を歩いている看護師が廊下灯の点灯状態を見て、呼び出しに対する対応が完了していないことを把握し、必要な看護を適宜行うことも可能である。しかしながら、呼び出しに対する応答および患者との通話を行っていない看護師は、患者の用件を元々知らないため、病室において患者の用件を確認する必要がある。そのため、患者は通話時と同じ説明を再びしなければならないことになるため、患者に対して不快感や精神的ストレスを与えてしまうという問題があった。
【００１０】
本発明は、このような問題を解決するために成されたものであり、現場復旧方式を採用したナースコールシステムにおいて、呼び出しが行われた現場において、患者の説明を要することなく看護師が患者の用件を容易に確認できるようにすることを目的とする。
【課題を解決するための手段】
【００１１】
上記した課題を解決するために、本発明のナースコールシステムでは、ナースコール子機が複数の用件ボタンを有し、何れかの用件ボタンの押下に応じて呼出信号を送信する一方、押下された用件ボタンに対応する用件の内容を識別可能に表示させた表示状態にするとともに、所定の復旧操作に応じて表示状態を解除するようにしている。
【発明の効果】
【００１２】
上記のように構成した本発明によれば、ナースコール子機において用件ボタンが押下されると、押下された用件ボタンに対応する用件の内容が識別可能に表示された表示状態となる。その後、呼出信号がナースコール親機に送信されて所定の報知動作が行われ、所定の応答操作に応じて報知動作が停止したとしても、ナースコール子機において所定の復旧操作が行われるまでは上記の表示状態が維持され、復旧操作が行われたときに表示状態が解除される。このため、用件ボタンの押下によって呼び出しが行われた現場において、看護師がナースコール子機の表示状態を確認することにより、患者の用件を確認することができる。これにより、看護師が患者に対して用件を改めて聞くことなく、看護師が患者の用件を容易に確認することができ、患者に対して不快感や精神的ストレスを与えることを回避することができる。
【図面の簡単な説明】
【００１３】
【図１】本実施形態によるナースコールシステムの全体構成例を示す図である。
【図２】本実施形態による用件伝達型子機の外観構成例を示す図である。
【図３】本実施形態によるナースコールシステムの機能構成例を示すブロック図である。
【図４】本実施形態による音声データ記憶部が記憶する複数の音声データに対応する合成音声の内容およびボタン識別情報との関連付けを模式的に示す図である。
【図５】本実施形態によるナースコールシステムの基本動作例を示すフローチャートである。
【図６】本実施形態による用件伝達型子機の表示制御に関する動作例を示すフローチャートである。
【発明を実施するための形態】
【００１４】
以下、本発明の一実施形態を図面に基づいて説明する。図１は、本実施形態によるナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１５】
図１に示すように、本実施形態のナースコールシステムは、ナースコール親機１、制御機２、廊下灯３、壁埋込形子機４、中継器５、ハンド形子機６および用件伝達型子機７（特許請求の範囲におけるナースコール子機およびナースコール装置に相当）を備えて構成されている。ナースコール親機１は、ナースステーションに設置されるものであってもよいし、個々の看護師が携行する携帯型のナースコール親機であってもよい。壁埋込形子機４、中継器５、ハンド形子機６および用件伝達型子機７は、患者の病室内に設置される。
【００１６】
ナースコール親機１は、患者（ハンド形子機６または用件伝達型子機７）からの呼び出しに対する応答の操作を行い、看護師が患者と通話を行うためのものである。ナースコール親機１は、患者からの呼び出しを受けたとき、所定の報知動作を行う。報知動作は、ナースコール親機１が備えるスピーカから呼出音を出力するとともに、ナースコール親機１が備えるディスプレイに対して呼び出しに係る患者および呼出種別などの情報を表示させることによって行われる。
【００１７】
この報知動作の実行中に、看護師がオフフック等の応答操作を行うと、ナースコール親機１は上述の報知動作を停止するとともに通話路を形成する。詳細は後述するが、ハンド形子機６からの呼び出しに対して応答操作が行われた場合、ナースコール親機１はハンド形子機６との間に通話路を形成し、患者と通話を行うことができる状態とする。また、用件伝達型子機７からの呼び出しに対して応答操作が行われた場合、ナースコール親機１は中継器５との間に通話路を形成し、中継器５から送られてくる合成音声を受信してスピーカから出力する。
【００１８】
制御機２は、ナースコール親機１と廊下灯３との間に配置され、通話やデータの送受信に関する制御を行う。送受信されるデータには、ハンド形子機６または用件伝達型子機７からナースコール親機１に送られる呼出信号、ナースコール親機１から用件伝達型子機７に送られる応答通知信号、中継器５からナースコール親機１に送られる合成音声の音声信号などが含まれる。
【００１９】
廊下灯３は、病院の各病室の入口付近外部に設置される。この廊下灯３は、表示装置を備え、病室内の患者名が表示されるとともに、病室内の患者がハンド形子機６または用件伝達型子機７を用いて看護師の呼び出しを行うと、呼び出しが行われたことが表示されるようになっている。なお、呼び出しが行われたことの表示は、ＬＥＤの点灯または点滅により行うようにしてよい。ＬＥＤは、所定の復旧操作が行われたときに消灯する。
【００２０】
廊下灯３は、ハンド形子機６または用件伝達型子機７から中継器５を介して送信された呼出信号を、制御機２を介してナースコール親機１に送信する。また、廊下灯３は、ナースコール親機１から制御機２を介して送信された応答通知信号を、壁埋込形子機４および中継器５を介して用件伝達型子機７に送信する。また、廊下灯３は、ナースコール親機１での応答操作により形成された通話路を介して中継器５から送信された音声信号（ハンド形子機６のマイクから入力された患者の通話音声、または中継器５にて生成された用件伝達のための合成音声に関するもの）を、制御機２を介してナースコール親機１に送信するとともに、ナースコール親機１から制御機２を介して送られてきた看護師の通話音声に係る音声信号を、壁埋込形子機４および中継器５を介してハンド形子機６に送信する。
【００２１】
壁埋込形子機４は、病室の各ベッドサイドの壁に埋め込み設置される。この壁埋込形子機４は、廊下灯３に接続されている。壁埋込形子機４は、中継器５またはハンド形子機６を接続するための接続端子を備えている。ハンド形子機６を壁埋込形子機４に直接接続することも可能であるが、本実施形態では、壁埋込形子機４に中継器５を接続し、その中継器５にハンド形子機６を接続している。壁埋込形子機４は、廊下灯３と中継器５との間で上述した呼出信号、応答通知信号および音声信号を送受信する。なお、壁埋込形子機４は、患者が看護師を呼び出すための呼出ボタン、患者が看護師と会話を行う際に使用するマイクおよびスピーカを備えてもよい。
【００２２】
ハンド形子機６は、壁埋込形子機４または中継器５に接続され、患者のベッドサイドに設置される。上述のように、ハンド形子機６は壁埋込形子機４に直接接続することも可能であるが、本実施形態では、壁埋込形子機４に接続した中継器５に対してハンド形子機６を接続するようにしている。ハンド形子機６は、患者が看護師を呼び出すための呼出ボタン６ａ、患者が看護師と会話を行う際に使用するマイク（図示せず）およびスピーカ６ｂを備えている。
【００２３】
ハンド形子機６は、一または複数の呼出種別に対応する呼出ボタン６ａを備えており、患者が何れかの呼出ボタン６ａを操作すると、操作された呼出ボタン６ａに対応する呼出種別の呼出信号が中継器５、壁埋込形子機４、廊下灯３および制御機２を介してナースコール親機１に送信されるようになっている。呼出種別は、例えば、一般呼出、緊急呼出、特定呼出（トイレまたは点滴）などである。
【００２４】
用件伝達型子機７は、中継器５に無線で接続され、患者のベッドサイドに設置される。例えば、用件伝達型子機７は、Ｂｌｕｅｔｏｏｔｈ（登録商標）の無線通信手段を用いて中継器５に接続される。用件伝達型子機７と中継器５とは１対１で無線通信を行う。無線通信をするに当たり、中継器５は用件伝達型子機７とのペアリング登録を行う。ペアリング登録に関する処理を行う機能は中継器５が備えている。例えば、中継器５が備える設定スイッチ５ａを長押しすることによってペアリング待機状態とした後、ペアリングする用件伝達型子機７において所定の操作をすることによって用件伝達型子機７の識別情報を中継器５に無線送信し、この識別情報を中継器５に記憶することにより、ペアリング登録を行う。
【００２５】
用件伝達型子機７は、患者が看護師を呼び出すための複数の用件ボタン７ａを備えており、患者が何れかの用件ボタン７ａを操作すると、操作された用件ボタン７ａを識別可能なボタン識別情報を含む呼出信号が中継器５に送信されるようになっている。用件伝達型子機７は、バッテリを内蔵し、当該バッテリからの電源を得て動作する。本実施形態では、ペアリング登録の機能や、後述する音声合成の機能を中継器５が備えることにより、用件伝達型子機７のバッテリの消耗を抑制するようにしている。
【００２６】
中継器５は、用件伝達型子機７とナースコール親機１との間（具体的には、用件伝達型子機７と壁埋込形子機４との間）に設置される。中継器５は、一般電源のコンセントに接続され、当該コンセントから電源を得て動作する。中継器５は、壁埋込形子機４とハンド形子機６および用件伝達型子機７と間で上述した呼出信号、応答通知信号および音声信号を送受信する。音声信号に関して、中継器５は、用件伝達型子機７から受信した呼出信号に含まれるボタン識別情報に対応する合成音声を生成し、生成した合成音声の音声信号を、壁埋込形子機４、廊下灯３および制御機２を介してナースコール親機１に送信する。この動作の詳細については後述する。
【００２７】
図２は、用件伝達型子機７の外観構成例を示す図である。図２に示すように、用件伝達型子機７は、複数の用件ボタン７ａを備えている。本実施形態では、８個の用件ボタン７ａが筐体の正面の両サイドに４個ずつ並べて配置されている。１つ１つの用件ボタン７ａには、患者が看護師に伝達する用件の内容を端的に表した文言が記されている。図２の例では、「トイレ」、「苦しい」、「くすり」、「経管栄養」、「痛い」、「痰を取って」、「点滴」、「用事」の各文言が８個の用件ボタン７ａにそれぞれ記されている。
【００２８】
これらの用件ボタン７ａは、透光性を有する樹脂材料またはガラス材料などにより構成されており、その裏側（筐体の内側）にはＬＥＤが設置されている。用件ボタン７ａは、押下によって操作することができるようになされており、患者が何れかの用件ボタン７ａを押下すると、押下された用件ボタン７ａに対応するＬＥＤが点灯するとともに、押下された用件ボタン７ａを識別可能なボタン識別情報を含む呼出信号が中継器５に送信される。
【００２９】
上述した通り、用件ボタン７ａは透光性を有する材料により構成されているため、裏側のＬＥＤが点灯すると、押下された用件ボタン７ａが光って見え、どの用件ボタン７ａを押下したのかが一目で分かるようになっている。すなわち、押下された用件ボタン７ａに対応するＬＥＤが点灯することにより、当該押下された用件ボタン７ａに対応する用件の内容（用件ボタン７ａに記された文言の内容）が識別可能に表示された状態となる。以下の説明において、用件ボタン７ａの裏側に配置されたＬＥＤが点灯または消灯することを、便宜的に「用件ボタン７ａが点灯または消灯する」という。
【００３０】
用件伝達型子機７は、照明スイッチ７ｂを備えている。照明スイッチ７ｂも押下によって操作することができるようになされており、患者が照明スイッチ７ｂを押下すると、全ての用件ボタン７ａが点灯する。例えば、夜間において病室の照明が消灯された後、用件ボタン７ａに記された用件の文言が見えないときに照明スイッチ７ｂを押下することにより、全ての用件ボタン７ａを光らせて、文言の内容を確認することができるようにしている。なお、用件伝達型子機７が備える表示制御部（後述する）は、ＬＥＤを２段階の輝度で点灯させる調整機能を有しており、照明スイッチ７ｂが押下された場合は、全ての用件ボタン７ａを低輝度で点灯させる。また、何れかの用件ボタン７ａが押下された場合は、表示制御部はその押下された用件ボタン７ａを高輝度で点灯させる。
【００３１】
用件伝達型子機７は、応答表示ランプ７ｃを備えている。この応答表示ランプ７ｃは、用件ボタン７ａの押下により行われた呼び出しに対して看護師が応答したことを知らせるためのランプである。この応答表示ランプ７ｃも、透光性を有する材料の裏側にＬＥＤを配置した構成となっている。看護師がナースコール親機１にて応答操作を行うと、応答通知信号がナースコール親機１から用件伝達型子機７に送信される。そして、用件伝達型子機７がこの応答通知信号を受信すると、応答表示ランプ７ｃが点灯する。これにより、患者は、何れかの用件ボタン７ａを押下することによって行った呼び出しに対して看護師が応答したか否かを確認することができる。
【００３２】
本実施形態において、看護師が応答する前（応答表示ランプ７ｃが点灯する前）に患者が用件ボタン７ａの押し間違いに気づいたときは、正しい用件ボタン７ａを押し直すことにより、押し直した用件ボタン７ａに対応する呼び出しに切り替えることが可能である。この場合、表示制御部は、最初に押下された用件ボタン７ａを消灯し、後から押し直した用件ボタン７ａを点灯させる。これにより、看護師が応答する前に用件ボタン７ａを押し直した場合、点灯している用件ボタン７ａは１つのみである。
【００３３】
また、看護師が応答した後（応答表示ランプ７ｃが点灯した後）に追加の用件が発生した場合、患者は他の用件ボタン７ａの押下することにより、他の用件ボタン７ａに対応する呼び出しを追加して行うことが可能である。この場合、表示制御部は、最初に押下された用件ボタン７ａの点灯状態を維持したまま、後から押下された用件ボタン７ａも追加で点灯させる。これにより、看護師が応答した後に他の用件ボタン７ａを押下すると、点灯している用件ボタン７ａは複数となる。
【００３４】
なお、応答表示ランプ７ｃの表示に関しては、以下のようにすることが可能である。例えば、看護師が応答した後（応答表示ランプ７ｃが点灯した後）に他の用件ボタン７ａが追加して押下された場合、応答表示ランプ７ｃをいったん消灯し、その後で用件伝達型子機７が応答通知信号を受信したときに応答表示ランプ７ｃを再び点灯させるようにしてよい。あるいは、用件伝達型子機７が応答通知信号を受信した時点から所定時間だけ応答表示ランプ７ｃを点灯させた後、他の用件ボタン７ａの押下の有無によらず、応答表示ランプ７ｃを自動的に消灯させるようにしてもよい。
【００３５】
用件伝達型子機７は、看護師が操作するための復旧ボタン７ｄを備えている。復旧ボタン７ｄは、これを患者が誤って操作してしまうことを抑制するために、患者が操作する用件ボタン７ａおよび照明スイッチ７ｂが配置された筐体の正面とは異なる上面に配置されている。この復旧ボタン７ｄは、患者により押下された用件ボタン７ａを消灯させて復旧状態とするためのボタンである。すなわち、看護師が病室に到着したときにこの復旧ボタン７ｄを押下することにより（ナースコール子機が設置される部屋内で行われる所定の復旧操作に相当）、患者により押下された用件ボタン７ａが点灯した状態を解除して、用件伝達型子機７を復旧状態に戻すことが可能である。
【００３６】
図３は、本実施形態によるナースコールシステムの機能構成例を示すブロック図である。ここでは、ナースコール親機１、中継器５および用件伝達型子機７の機能構成例を示している。
【００３７】
図３に示すように、本実施形態によるナースコール親機１は、機能構成として、呼出信号受信部１０１、報知処理部１０２、応答操作検出部１０３、通話路形成部１０４、合成音声受信部１０５および合成音声出力部１０６を備えている。また、ナースコール親機１は、ハードウェア構成として、スピーカ１１１およびディスプレイ１１２を備えている。
【００３８】
本実施形態による中継器５は、機能構成として、呼出信号中継部５０１、応答通知中継部５０２、通話路関連処理部５０３、合成音声生成部５０４および合成音声送信部５０５を備えている。また、中継器５は、記憶媒体として、音声データ記憶部５１１を備えている。本実施形態による用件伝達型子機７は、機能構成として、押下検出部７０１、呼出信号送信部７０２、表示制御部７０３および応答通知受信部７０４を備えている。
【００３９】
上記ナースコール親機１、中継器５および用件伝達型子機７が備える各機能ブロックは、それぞれハードウェア、ＤＳＰ（Digital Signal Processor）、ソフトウェアの何れによっても構成することが可能である。例えばソフトウェアによって構成する場合、上記各機能ブロックは、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記憶媒体に記憶されていてもよい。
【００４０】
用件伝達型子機７の押下検出部７０１は、患者による用件ボタン７ａ、照明スイッチ７ｂの押下を検出する。また、押下検出部７０１は、看護師による復旧ボタン７ｄの押下を検出する。押下検出部７０１は、患者による用件ボタン７ａの押下を検出した場合、その旨を呼出信号送信部７０２および表示制御部７０３に通知する。押下検出部７０１は、患者による照明スイッチ７ｂの押下または看護師による復旧ボタン７ｄの押下を検出した場合、その旨を表示制御部７０３に通知する。
【００４１】
呼出信号送信部７０２は、用件ボタン７ａの押下に応じて、押下された用件ボタン７ａを識別可能なボタン識別情報を含む呼出信号を中継器５に送信する。なお、各用件ボタン７ａに対応するボタン識別情報は、用件伝達型子機７の図示しない記憶媒体にあらかじめ記憶されている。
【００４２】
表示制御部７０３は、用件ボタン７ａおよび応答表示ランプ７ｃの表示を制御する。すなわち、表示制御部７０３は、照明スイッチ７ｂの押下が押下検出部７０１により検出された場合は、全ての用件ボタン７ａを低輝度で点灯させる。例えば、表示制御部７０３は、照明スイッチ７ｂが押下されたときから一定時間だけ全ての用件ボタン７ａを低輝度で点灯させた後、全ての用件ボタン７ａを消灯させる。あるいは、表示制御部７０３は、照明スイッチ７ｂの押下に応じて全ての用件ボタン７ａを点灯させた後、照明スイッチ７ｂが再び押下された時点で全ての用件ボタン７ａを消灯させるようにしてもよいし、何れかの用件ボタン７ａが押下された時点で、当該押下された用件ボタン７ａ以外の用件ボタン７ａを消灯させるようにしてもよい。
【００４３】
また、表示制御部７０３は、何れかの用件ボタン７ａの押下が押下検出部７０１によりされた場合は、その押下された用件ボタン７ａを高輝度で点灯させることにより、押下された用件ボタン７ａに対応する用件の内容（用件ボタン７ａに記された文言の内容）を識別可能に表示させた表示状態にする。また、表示制御部７０３は、復旧ボタン７ｄの押下が押下検出部７０１により検出された場合は、点灯中の用件ボタン７ａを消灯させる（上記表示状態を解除する）。また、表示制御部７０３は、ナースコール親機１から送られてくる応答通知信号を応答通知受信部７０４が受信した場合に、応答表示ランプ７ｃを点灯させる。
【００４４】
応答通知受信部７０４は、上述の通り、ナースコール親機１から中継器５を介して送られてくる応答通知信号を受信し、その旨を表示制御部７０３に通知する。応答通知受信部７０４が受信する応答通知信号は、用件ボタン７ａの押下によって看護師の呼び出しが行われた後、看護師がナースコール親機１にて応答操作をすることによって発生する信号である。表示制御部７０３は、この応答通知受信部７０４による応答通知信号の受信に応じて、上述のように応答表示ランプ７ｃの点灯を制御することに加えて、用件ボタン７ａの点灯も以下のように制御する。
【００４５】
すなわち、表示制御部７０３は、一の用件ボタン７ａの押下に対応する応答通知信号を応答通知受信部７０４が受信する前に他の用件ボタン７ａの押下が行われた場合、上記一の用件ボタン７ａを消灯する（用件の内容を識別可能に表示させた表示状態を解除することに相当）とともに、他の用件ボタン７ａを点灯させる（用件の内容を識別可能に表示させた表示状態とすることに相当）。このとき呼出信号送信部７０２は、他の用件ボタン７ａの押下に応じて呼出信号を再送信する（以下、この状態を押し直し時再送信状態という）。
【００４６】
また、表示制御部７０３は、一の用件ボタン７ａの押下に対応する応答通知信号を応答通知受信部７０４が受信した後、かつ、復旧ボタン７ｄの押下が行われる前に他の用件ボタン７ａの押下が行われた場合、一の用件ボタン７ａの点灯状態を維持したまま、他の用件ボタン７ａを点灯させる。このときも呼出信号送信部７０２は、他の用件ボタン７ａの押下に応じて呼出信号を再送信する（以下、この状態を追加押下時再送信状態という）。
【００４７】
中継器５の呼出信号中継部５０１は、ハンド形子機６の呼出ボタン６ａの押下に応じてハンド形子機６から送信された呼出信号を受信し、押下された呼出ボタン６ａに対応する呼出種別の呼出信号としてナースコール親機１に中継する。上述したように、ハンド形子機６が送信し得る呼出信号の呼出種別には、一般呼出、緊急呼出、特定呼出（トイレまたは点滴）がある。
【００４８】
また、呼出信号中継部５０１は、用件伝達型子機７の呼出信号送信部７０２により送信された呼出信号を受信した場合、その呼出信号に含まれるボタン識別情報を合成音声生成部５０４に通知するとともに、その呼出信号を特定の一の呼出種別の呼出信号（ボタン識別情報は含まない）としてナースコール親機１に中継する。呼出信号中継部５０１は、用件伝達型子機７から呼出信号を受信した場合、その呼出信号に含まれるボタン識別情報の内容によらず（すなわち、どの用件ボタン７ａが押下されたかによらず）、複数の呼出種別の中の特定の一の呼出種別（例えば、一般呼出）の呼出信号としてナースコール親機１に中継する。
【００４９】
すなわち、図２に示した「トイレ」、「点滴」の用件ボタン７ａは、一般的には特殊呼出という呼出種別が割り当てられるものであり、「苦しい」、「痛い」などの用件ボタン７ａは、一般的には緊急呼出という呼出種別が割り当てられる可能性のあるものであるが、これらの用件ボタン７ａが押下された場合も、呼出信号中継部５０１は一般呼出の呼出信号をナースコール親機１に送信する。
【００５０】
以上のように、呼出信号中継部５０１は、ハンド形子機６から呼出信号を受信した場合は、当該呼出信号を、押下された呼出ボタン６ａに応じた呼出種別の呼出信号としてナースコール親機１に中継する。一方、呼出信号中継部５０１は、用件伝達型子機７から呼出信号を受信した場合は、当該呼出信号を、特定の一の呼出種別の呼出信号としてナースコール親機に中継する。このように本実施形態では、ナースコールシステムに用意された呼出種別の１つを利用して、合成音声によって患者の用件を看護師に伝達する際の呼出信号をナースコール親機１に送信することができるようにしている。
【００５１】
なお、押し直し時再送信状態において呼出信号中継部５０１が受信する呼出信号については、これに含まれるボタン識別情報を合成音声生成部５０４に通知するのみとし、一の呼出種別の呼出信号としてナースコール親機１に中継することはしないようにしてもよい。押し直し時再送信状態においては看護師がまだ応答していないためナースコール親機１において報知動作が続いている状態であり、かつ、呼出信号を再送信しても呼出種別も患者の情報も変わらないため、それによって行われるべき報知動作の内容も変わらないからである。なお、呼出信号中継部５０１が受信した呼出信号が、押し直し時再送信状態において再送信されたものかどうかは、応答通知中継部５０２がナースコール親機１から応答通知信号を受信する前に呼出信号中継部５０１が用件伝達型子機７から呼出信号を再受信したか否かによって判定することが可能である。
【００５２】
応答通知中継部５０２は、ナースコール親機１から送られてくる応答通知信号を受信し、用件伝達型子機７に中継する。通話路関連処理部５０３は、ナースコール親機１との間で通話路の形成に関する処理を行う。通話路の形成に関する処理とは、ナースコール親機１の通話路形成部１０４と協働して通話路を形成するための処理であり、例えば通話路形成部１０４からの要求に応じて、当該要求に応じた処理を実行する。
【００５３】
ハンド形子機６からの呼び出しに対してナースコール親機１にて応答操作が行われた場合、通話路関連処理部５０３は、ナースコール親機１の通話路形成部１０４と協働して、ナースコール親機１とハンド形子機６との間に通話路を形成するために必要な処理を行う。この場合の処理のために、ハンド形子機６も通話路関連処理部を備えているが、図示を省略している。また、用件伝達型子機７からの呼び出しに対してナースコール親機１にて応答操作が行われた場合、通話路関連処理部５０３は、ナースコール親機１の通話路形成部１０４と協働して、ナースコール親機１と中継器５との間に通話路を形成するために必要な処理を行う。ナースコール親機１と中継器５との間に通話路が形成された場合、通話路関連処理部５０３はその旨を合成音声生成部５０４に通知する。
【００５４】
合成音声生成部５０４は、ナースコール親機１と中継器５との間に通話路が形成された場合、呼出信号中継部５０１が用件伝達型子機７から受信した呼出信号に含まれるボタン識別情報に応じた音声データを音声データ記憶部５１１から読み出して合成音声を生成する。音声データ記憶部５１１は、複数種類の合成音声に対応した複数の音声データとボタン識別情報とを関連付けて記憶している。複数種類の合成音声は、患者が看護師に伝える用件の内容を示したものである。
【００５５】
図４は、本実施形態による音声データ記憶部５１１が記憶する複数の音声データに対応する合成音声の内容およびボタン識別情報との関連付けを模式的に示す図である。図４に示す８個の合成音声は、図２に示した８個の用件ボタン７ａに対応したものである。すなわち、「トイレ」、「苦しい」、「くすり」、「経管栄養」、「痛い」、「痰を取って」、「点滴」、「用事」の各文言が記された８個の用件ボタン７ａのボタン識別情報「００１」〜「００８」と関連付けて、図４に示す８個の合成音声を生成するための音声データが音声データ記憶部５１１に記憶されている。例えば、用件伝達型子機７の筐体において最も左上に配置された１番目の用件ボタン７ａに対応するボタン識別情報「００１」と関連付けて、「トイレに行きたいです。」という合成音声の音声データが記憶されている。また、用件伝達型子機７の筐体において最も右下に配置された８番目の用件ボタン７ａに対応するボタン識別情報「００８」と関連付けて、「用事があります。」という合成音声の音声データが記憶されている。
【００５６】
合成音声送信部５０５は、ナースコール親機１と中継器５との間に通話路が形成された後、呼出信号中継部５０１が用件伝達型子機７から受信した呼出信号に含まれるボタン識別情報に応じた合成音声（合成音声生成部５０４により生成された合成音声）を、通話路を介してナースコール親機１に送信する。上述したように、用件伝達型子機７からの呼出信号に応じてナースコール親機１と中継器５との間に通話路が形成された場合、合成音声生成部５０４は、当該呼出信号に含まれるボタン識別情報に応じた音声データを音声データ記憶部５１１から読み出して合成音声を生成する。合成音声送信部５０５は、合成音声生成部５０４により生成された合成音声の音声信号をナースコール親機１に送信する。なお、以下の説明において「合成音声を送信する」ということがあるが、これは「合成音声の音声信号を送信する」と同義である。
【００５７】
このように、本実施形態では、ナースコールシステムに用意された限られた数の呼出種別を用いて、呼出種別の数よりも多い種類の用件を看護師に伝達するための合成音声をナースコール親機１に送信することができるようにしている。本実施形態では、例えば一般呼出という１つの呼出種別を用いて、８種類の用件の合成音声をナースコール親機１に送信することが可能である。
【００５８】
ナースコール親機１の呼出信号受信部１０１は、中継器５の呼出信号中継部５０１により中継されたハンド形子機６からの呼出信号および用件伝達型子機７からの呼出信号を受信する。報知処理部１０２は、呼出信号受信部１０１による呼出信号の受信に応じて所定の報知動作を行い、応答操作検出部１０３により検出される所定の応答操作に応じて報知動作を停止する。すなわち、報知処理部１０２は、呼出信号受信部１０１が呼出信号を受信した場合、スピーカ１１１から呼出音を出力するとともに、ディスプレイ１１２に対して呼び出しに係る患者および呼出種別などの情報を表示させるといった報知動作を実行する。その後、応答操作検出部１０３がオフフック等の応答操作を検出すると、報知処理部１０２は上述の報知動作を停止するとともに、応答通知信号を中継器５に送信する。
【００５９】
通話路形成部１０４は、呼出信号の受信に応じて行われる報知動作に対する応答操作を押下検出部７０１が検出したときに、中継器５またはハンド形子機６との間に通話路を形成する。すなわち、ハンド形子機６からの呼出信号に応じて行われる報知動作に対する応答操作を押下検出部７０１が検出した場合、通話路形成部１０４は、ハンド形子機６との間に通話路を形成する処理を行う。また、用件伝達型子機７からの呼出信号に応じて行われる報知動作に対する応答操作を押下検出部７０１が検出した場合、通話路形成部１０４は、中継器５との間に通話路を形成する処理を行う。
【００６０】
合成音声受信部１０５は、通話路形成部１０４により形成された通話路を介して中継器５から送られてくる合成音声の音声信号を受信する。合成音声出力部１０６は、合成音声受信部１０５により受信された合成音声の音声信号に基づいて、用件の合成音声をスピーカ１１１から出力する。看護師は、スピーカ１１１から出力される合成音声を聞くことにより、患者との間で通話を行うことなく、患者が伝えてきている用件を把握することができる。
【００６１】
図５は、以上のように構成した本実施形態によるナースコールシステムの動作例を示すフローチャートである。図５のフローチャートは、患者が何れかの用件ボタン７ａを押下したときに実行される合成音声の出力処理と、用件ボタン７ａおよび応答表示ランプ７ｃの表示制御に関する基本動作例（押し直し時再送信状態、追加押下時再送信状態の何れでもない場合の動作例）を示しており、その他の処理に関する動作は省略している。なお、図５に示すフローチャートにおいて、制御機２、廊下灯３および壁埋込形子機４の動作については説明を省略している。
【００６２】
まず、患者により何れかの用件ボタン７ａが押下されたことを押下検出部７０１が検出すると（ステップＳ１）、表示制御部７０３は、押下された用件ボタン７ａを点灯させる（ステップＳ２）。また、呼出信号送信部７０２は、押下された用件ボタン７ａを識別可能なボタン識別情報を含む呼出信号を中継器５に送信する（ステップＳ３）。中継器５の呼出信号中継部５０１は、呼出信号送信部７０２により送信された呼出信号を受信し、特定の一の呼出種別の呼出信号としてナースコール親機１に中継する（ステップＳ４）。
【００６３】
ナースコール親機１の呼出信号受信部１０１は、用件伝達型子機７から中継器５、壁埋込形子機４、廊下灯３および制御機２を介して送られてきた呼出信号を受信する（ステップＳ５）。報知処理部１０２は、呼出信号受信部１０１による呼出信号の受信に応じて所定の報知動作を行う（ステップＳ６）。この報知動作の最中、応答操作検出部１０３は、看護師による応答操作が行われたか否かを監視する（ステップＳ７）。
【００６４】
看護師による応答操作が応答操作検出部１０３により検出された場合、報知処理部１０２は、報知動作を停止する（ステップＳ８）。これに応じて報知処理部１０２は、応答通知信号を中継器５に送信する（ステップＳ９）。また、通話路形成部１０４は、中継器５との間に通話路を形成する（ステップＳ１０）。中継器５の応答通知中継部５０２は、ナースコール親機１から送られてくる応答通知信号を受信し、用件伝達型子機７に中継する（ステップＳ１１）。
【００６５】
用件伝達型子機７の応答通知受信部７０４は、応答通知中継部５０２により中継された応答通知信号を受信し、その旨を表示制御部７０３に通知する（ステップＳ１２）。この通知を受けて表示制御部７０３は、例えば応答表示ランプ７ｃを一定時間点灯させた後、消灯させる（ステップＳ１３）。
【００６６】
上記ステップＳ１０における通話路形成部１０４の処理によってナースコール親機１と中継器５との間の通話路が形成されると、中継器５の合成音声生成部５０４は、ステップＳ４で呼出信号中継部５０１が用件伝達型子機７から受信した呼出信号に含まれるボタン識別情報に応じた音声データを音声データ記憶部５１１から読み出して合成音声を生成する（ステップＳ１４）。
【００６７】
次いで、合成音声送信部５０５は、合成音声生成部５０４により生成された合成音声の音声信号をナースコール親機１に送信する（ステップＳ１５）。ナースコール親機１では、中継器５から送信された合成音声の音声信号を合成音声受信部１０５により受信し（ステップＳ１６）、合成音声出力部１０６がその合成音声の音声信号に基づいて合成音声をスピーカ１１１から出力する（ステップＳ１７）。看護師は、スピーカ１１１から出力される合成音声を聞くことにより、患者が伝えてきている用件を把握することができる。そして、その用件に対応した看護業務を行うべく、看護師は呼び出しが行われた病室に向かう。
【００６８】
用件伝達型子機７では、ステップＳ１３で応答表示ランプ７ｃの点灯を行った後、復旧ボタン７ｄが押下されたか否かを監視する（ステップＳ１８）。そして、病室に到着した看護師によって復旧ボタン７ｄが押下され、そのことを押下検出部７０１が検出すると、表示制御部７０３は、ステップＳ２で点灯した用件ボタン７ａを消灯させる（ステップＳ１９）。以上により、図５に示すフローチャートの処理が終了する。
【００６９】
図６は、用件伝達型子機７における用件ボタン７ａおよび応答表示ランプ７ｃの表示制御に関する動作例を示すフローチャートである。この図６に示すフローチャートは、押し直し時再送信状態および追加押下時再送信状態における点灯処理の動作を含むものである。
【００７０】
まず、患者により何れかの用件ボタン７ａが押下されたことを押下検出部７０１が検出すると（ステップＳ２１）、表示制御部７０３は、押下された用件ボタン７ａを点灯させる（ステップＳ２２）。その後、応答通知受信部７０４は、中継器５から応答通知信号を受信したか否かを監視する（ステップＳ２３）。ここで、応答通知受信部７０４が応答通知信号を受信すると、表示制御部７０３は、応答表示ランプ７ｃを一定時間点灯させた後、消灯させる（ステップＳ２４）。
【００７１】
その後、押下検出部７０１は、他の用件ボタン７ａが押下されたか否かを監視する（ステップＳ２５）。ここで、他の用件ボタン７ａが押下されたことを押下検出部７０１が検出すると（ステップＳ２５：Ｙｅｓ）、表示制御部７０３は、ステップＳ２２で点灯させた一の用件ボタン７ａの点灯状態を維持したまま、新たに押下が検出された他の用件ボタン７ａを追加で点灯させる（ステップＳ２６）。そして、処理はステップＳ２９に進む。なお、ステップＳ２５で他の用件ボタン７ａの押下が押下検出部７０１により検出されない場合（ステップＳ２５：Ｎｏ）、ステップＳ２６の処理を行うことなく、処理はステップＳ２９に進む。
【００７２】
上記ステップＳ２３において、応答通知受信部７０４が応答通知信号を受信していない場合（ステップＳ２３：Ｎｏ）、押下検出部７０１は、他の用件ボタン７ａが押下されたか否かを監視する（ステップＳ２７）。ここで、他の用件ボタン７ａが押下されたことを押下検出部７０１が検出すると（ステップＳ２７：Ｙｅｓ）、表示制御部７０３は、ステップＳ２２で点灯させた一の用件ボタン７ａを消灯させ、新たに押下が検出された他の用件ボタン７ａを点灯させる（ステップＳ２８）。そして、処理はステップＳ２９に進む。なお、ステップＳ２７で他の用件ボタン７ａの押下が押下検出部７０１により検出されない場合（ステップＳ２７：Ｎｏ）、ステップＳ２８の処理を行うことなく、処理はステップＳ２９に進む。
【００７３】
ステップＳ２９において、押下検出部７０１は、復旧ボタン７ｄが押下されたか否かを監視する。ここで、復旧ボタン７ｄが押下されたことが押下検出部７０１により検出されない場合（ステップＳ２９：Ｎｏ）、処理はステップＳ２３に戻る。一方、復旧ボタン７ｄが押下されたことを押下検出部７０１が検出すると（ステップＳ２９：Ｙｅｓ）、表示制御部７０３は、点灯中の用件ボタン７ａを消灯させる（ステップＳ３０）。これにより、図６に示すフローチャートの処理が終了する。
【００７４】
以上詳しく説明したように、本実施形態によるナースコールシステムでは、用件伝達型子機７が備える複数の用件ボタン７ａのうち何れか一の用件ボタン７ａの押下に応じて、押下された用件ボタン７ａを点灯させることにより、当該用件ボタン７ａに対応する用件の内容を識別可能に表示させた表示状態にした後、復旧ボタン７ｄの押下に応じて表示状態を解除するようにしている。
【００７５】
このように構成した本実施形態によれば、用件伝達型子機７において押下された用件ボタン７ａに対応する用件の内容が識別可能に表示された後、用件伝達型子機７において復旧ボタン７ｄの押下が行われるまでは用件ボタン７ａの表示状態が維持され、復旧ボタン７ｄの押下に応じて表示状態が解除される。このため、用件ボタン７ａの押下によって呼び出しが行われた病室において、看護師が復旧ボタン７ｄを押下する前に用件伝達型子機７の表示状態を確認することにより、患者の用件を確認することができる。これにより、看護師が患者に対して用件を改めて聞くことなく、看護師が患者の用件を容易に確認することができ、患者に対して不快感や精神的ストレスを与えることを回避することができる。
【００７６】
また、本実施形態では、看護師が応答する前に患者が用件ボタン７ａの押し間違いに気づいて正しい用件ボタン７ａを押し直した場合、最初に押下された用件ボタン７ａを消灯し、後から押し直した用件ボタン７ａのみを点灯状態とするようにしている。これにより、病室に到着した看護師が復旧ボタン７ｄを押下する前に用件伝達型子機７の表示状態を確認することにより、押し直された正しい用件だけを容易に確認することができる。
【００７７】
また、本実施形態では、１回目の呼び出しに対して看護師が応答した後、まだ復旧ボタン７ｄが押下される前に患者に追加の用件が発生し、患者が他の用件ボタン７ａの押下した場合、最初に押下された用件ボタン７ａの点灯状態を維持したまま、後から押下された用件ボタン７ａも追加で点灯させるようにしている。これにより、病室に到着した看護師が復旧ボタン７ｄを押下する前に用件伝達型子機７の表示状態を確認することにより、複数の用件を容易に確認することができる。
【００７８】
なお、上記実施形態では、用件伝達型子機７と中継器５との間を無線で接続する例を示したが、有線で接続するようにしてもよい。また、上記実施形態では、用件伝達型子機７が内蔵バッテリから電源を得て動作する例について説明したが、用件伝達型子機７を一般電源のコンセントに接続し、用件伝達型子機７がコンセントから電源を得て動作するようにしてもよい。
【００７９】
また、上記実施形態では、用件伝達型子機７の筐体にハードウェアとしての用件ボタン７ａを設ける構成について説明したが、本発明はこれに限定されない。例えば、タッチパネル付きのディスプレイに表示させたソフトウェアのＧＵＩ（グラフィカルユーザインタフェース）により用件ボタン７ａを構成するようにしてもよい。
【００８０】
このようにＧＵＩにより用件ボタン７ａを構成する場合、表示制御部７０３は、例えば、押下された用件ボタン７ａのＧＵＩをハイライト表示または強調表示したり、押下されていない用件ボタン７ａのＧＵＩをグレーアウト表示したりすることにより、押下された用件ボタン７ａに対応する用件の内容を識別可能に表示させた表示状態とすることが可能である。
【００８１】
また、上記実施形態では、壁埋込形子機４とハンド形子機６および用件伝達型子機７との間に中継器５を接続する構成について説明したが、本発明はこれに限定されない。例えば、中継器５が備える機能構成を用件伝達型子機７が備えることによって中継器５を省略し、壁埋込形子機４に対してハンド形子機６および用件伝達型子機７を接続するようにしてもよい。
【００８２】
また、上記実施形態では、ナースコール子機（用件伝達型子機７）が設置される部屋内で行われる所定の復旧操作の一例として、用件伝達型子機７に設けられた復旧ボタン７ｄの押下操作を例示したが、本発明はこれに限定されない。例えば、壁埋込形子機４に設けた復旧ボタンの押下操作に応じて、復旧指示信号を用件伝達型子機７に送信することにより、点灯中の用件ボタン７ａを消灯して復旧状態とするようにしてもよい。
【００８３】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００８４】
１  ナースコール親機
２  制御機
３  廊下灯
４  壁埋込形子機
５  中継器
６  ハンド形子機
７  用件伝達型子機（ナースコール子機、ナースコール装置）
７ａ  用件ボタン
７ｃ  応答表示ランプ
７ｄ  復旧ボタン
１０２  報知処理部
１０４  通話路形成部
１０５  合成音声受信部
１０６  合成音声出力部
５０１  呼出信号中継部
５０４  合成音声生成部
５０５  合成音声送信部
５０８  割り付け編集部
５１１  音声データ記憶部
６０１  合成音声受信部
６０２  合成音声出力部
７０２  呼出信号送信部
７０３  表示制御部  
【図１】
2020178299.tif 000003
【図２】
2020178299.tif 000004
【図３】
2020178299.tif 000005
【図４】
2020178299.tif 000006
【図５】
2020178299.tif 000007
【図６】
2020178299.tif 000008